(57)【要約】【課題】  この発明は作業者のベルトに掛る荷重を分散して腰袋などが過度に身体を離れたり、ベルトが変形したりすることを防止することを目的としたものである。【解決手段】  この発明は、帯状本体の一面の両側及び中央部に凸部を設けると共に、該面の少なくとも一部の覆布は摩擦布とし、他面にベルト通し片を固定したことを特徴とする作業者用補助ベルトにより目的を達成した。【選択図】      図２
2005350831.tif 000002
【特許請求の範囲】
【請求項１】
帯状本体の一面の両側及び中央部に凸部を設けると共に、該面の少なくとも一部の覆布は摩擦布とし、他面にベルト通し片を固定したことを特徴とする作業者用補助ベルト。
【請求項２】
帯状本体の一面の両側及び中央部に凸部を設けると共に、該面の少なくとも一部の覆布は摩擦布とし、他面にベルト通し片を固定し、前記ベルト通し片の一側へ、ロープ用金属環を取り付けたことを特徴とする作業者用補助ベルト。
【請求項３】
ベルト通し片の一部は開閉可能としたことを特徴とする請求項１又は２記載の作業者用補助ベルト。
【請求項４】
補助ベルトの長さ及び幅にした合成樹脂発泡板を、上型と下型とで加熱加圧して、弾性芯材を一体成形した後、該弾性芯材の表面側の凹凸部面の少なくとも一部を摩擦面として、芯材の全外面を強靭な布で被覆し、前記裏面の平面側の覆布にベルト通し片を固着することを特徴とした作業者用補助ベルトの製造方法。
【請求項５】
凹凸部は、芯材の一面の両側部及び中央部へ設けることを特徴とした請求項４記載の作業者用補助ベルトの製造方法。
【請求項６】
覆布は、芯材の外周部で縁布を介して縫着したことを特徴とする請求項４記載の作業者用補助ベルトの製造方法。
【発明の詳細な説明】
【技術分野】
【０００１】
この発明は、建築作業者など現場作業の際、工具袋などを取り付けるベルトの内側に装着し、ベルトと作業者の身体とのなじみを良好にして工具等の重量を腰廻り全体で負担させるようにすることを目的とした作業者用補助ベルト及びその製造方法に関する。
【背景技術】
【０００２】
従来建築現場などにおける作業者は、作業中に必要な数量の工具を入れる為に、ベルトに腰袋をつけているが、前記工具の多くは金属製であって、重量が大きくなり、ベルトの変形又は一箇所に荷重が掛かる為に、作業者の身体に偏荷重が掛かり易く、不慮の事故を生じるおそれがあった。そこでベルトの内側へ帯状（厚さ均一）の補助ベルトの装着が提案され、使用されている。
【特許文献１】登録実用新案第３０１５９２０号公報
【発明の開示】
【発明が解決しようとする課題】
【０００３】
前記ベルトのみでは、ベルトの腰袋吊下部分が変形し、ベルトと人体とが離れて、装着状態が不安定になる問題点があった。
【０００４】
また帯状の補助ベルトを使用すると、若干の改善は認められるが、ベルトの極端な変形は防止し得るとしても、補助ベルトが身体と離れる点は同一であるので、更なる改善が要望されていた。
【課題を解決するための手段】
【０００５】
この発明は、補助ベルトの身体との対面側に、弾性凸部を設け、腰袋を吊り下げた場合でも補助ベルトの内面側が身体から離れないようにして、前記従来の問題点を解決したのである。
【０００６】
即ち物の発明は、帯状本体の一面の両側及び中央部に凸部を設けると共に、該面の少なくとも一部の覆布は摩擦布とし、他面にベルト通し片を固定したことを特徴とする作業者用補助ベルトである。また、帯状本体の一面の両側及び中央部に凸部を設けると共に、該面の少なくとも一部の覆布は摩擦布とし、他面にベルト通し片を固定し、前記ベルト通し片の一側へ、ロープ用金属環を取り付けたことを特徴とする作業者用補助ベルトであり、ベルト通し片の一部は開閉可能としたものである。
【０００７】
次に方法の発明は、補助ベルトの長さ及び幅にした合成樹脂発泡板を、上型と下型とで加熱加圧して、弾性芯材を一体成形した後、該弾性芯材の表面側の凹凸部面の少なくとも一部を摩擦面として、芯材の全外面を強靭な布で被覆し、前記裏面の平面側の覆布にベルト通し片を固着することを特徴とした作業者用補助ベルトの製造方法であり、凹凸部は、芯材の一面の両側部及び中央部へ設けるものであり、覆布は、芯材の外周部で縁布を介して縫着したものである。
【０００８】
前記発明において、補助ベルトの長さは、胴廻り長さのほぼ１／２以上の長さが好ましく、幅は腰骨上部と、胸骨下部の間隔程度（例えば８〜１０ｃｍ）が好ましく、凸部幅は前記帯幅の１／２程度が好ましい。
【０００９】
前記において、中央の凹凸部は全長の１／３程度が好ましく、左右は、凸部２つ位が好ましいが、これに制約されるものではない。
【発明の効果】
【００１０】
この発明によれば、ベルトの変形が皆無に近くなり、腰袋の重量はほぼ均等に支持されると共に、装着者（作業者）の身体から離れないので、移動性の阻害又は腰袋から工具が落下するおそれなどを未然に防止し得ると共に、他物と腰袋との接触又は引掛けが少なくなり、それだけ不慮の事故も未然に防止される効果がある。
【００１１】
この発明の製造方法によれば、弾性芯材が一体化されているので、製造時の作業性及び取り扱いが容易となり、部品点数の削減と製造工程の簡単化など、全製造工程を簡易化できる効果がある。
【発明を実施するための最良の形態】
【００１２】
この発明は、弾性芯材の寸法、形状を金型で成形するので、同一製品を自動で多量生産し、これに覆布を被着すると共に、ベルト通し片を固定すれば製品となる。
【００１３】
前記において、芯材の凹凸は一体成形であるから加工時に移動のおそれがなく、また定位置検出も容易である。
【００１４】
前記において、覆布の固定は総て縫着であって、自動機（裁縫ミシン）で完成させることができるので自動かつ多量生産方式の採用ができる。
【実施例１】
【００１５】
この発明の実施例を図１、２について説明すると、中央上部に凹部３、３を介して５個の凸部２、２を設けると共に、左右両側へ、凸部４、４と凹部５を設けて裏面６を平面とした芯材１を成形する。
【００１６】
前記芯材１の凸部２、２、４、４へ覆布７、８を被着し、前記凸部間の平面部へ摩擦布９（滑り止め布）を被着し、芯材１の裏面側へ覆布１１を被着し、その外面へ補強シート１２を固着し、補強シート１２へベルト通し片１３、１３を固着すると共に、各部の縁部へ縁布１４、１５を縫着して、この発明の補助ベルト１０を完成した。
【００１７】
図中１６はロープ用金属環、１７はベルト通し片の蓋片（開閉自在、面ファスナー使用）、１８はベルト、１９は人体である。
【００１８】
前記実施例において、ベルト通し片１３にベルト１８を通し、このベルト１８を通常の要領で人体１９に装着すれば（図５）、補助ベルト１０が、図５のように人体へ密接装着されるので、腰袋が重くなっても、人体と離れるおそれはない。また腰袋の重量は補助ベルト１０へ矢示２０のように掛るが、補助ベルト１０の上下幅が前記矢示２０の方向に掛る力に対し、抗力が大きくなり、変形を未然に防止することができる。
【実施例２】
【００１９】
この発明の他の実施例を図６について説明すると、発泡ウレタン板２３を下型２１と、上型２２とで加熱加圧し、この発明の芯材１を一体成型する。前記のようにすれば、まず等厚の発泡ウレタン板２３から金型により一体成型するので、各部の強度は一定である。
【００２０】
前記実施例は発泡ウレタン板を用いたが、他の合成樹脂板を使用することもできる。前記実施例では、発泡ウレタン板を加圧加熱成型したが、金型内へ発泡合成樹脂液を注入し、これを加熱し、又は加熱することなく、発泡成型して製造することもできる。
【００２１】
また芯材を中心にして作業できるので、材料の移送、位置決めも容易であり、作業性を向上させることができる。
【図面の簡単な説明】
【００２２】
【図１】（ａ）この発明の実施例の芯材の正面図、（ｂ）同じく裏面図、（ｃ）同じく表面図。
【図２】同じく一部を破切した表面図。
【図３】（ａ）同じく一部断面拡大図（長さ方向）、（ｂ）同じく一部断面拡大図（幅方向）。
【図４】（ａ）同じく実施例の正面図、（ｂ）同じく裏面図、（ｃ）同じく表面図。
【図５】同じく装着状態の斜視図。
【図６】（ａ）同じく発泡ウレタン板と金型の断面図、（ｂ）同じく一体成型した芯材の拡大断面図。
【符号の説明】
【００２３】
１  芯材
２、４  凸部
３、５  凹部
６  裏面
７、８、１１  覆布
９  摩擦布
１０  補助ベルト
１２  補強シート
１３  ベルト通し片
１４、１５  縁布
１８  ベルト
【図１】
2005350831.tif 000003
【図２】
2005350831.tif 000004
【図３】
2005350831.tif 000005
【図４】
2005350831.tif 000006
【図５】
2005350831.tif 000007
【図６】
2005350831.tif 000008